(57)【特許請求の範囲】
【請求項１】
Ｒ相、Ｓ相及びＴ相の三相交流の動力源を含み、建物又は施設に配置される他の分電装置からケーブルを用いて接続される分電装置であって、
前記他の分電装置の前記動力源から前記ケーブルを用いて三相交流電圧が入力される三相入力電路と、
前記三相入力電路に電気的に接続され、前記三相入力電路から三相交流電圧が入力される分岐器と、
前記分岐器に電気的に接続され、Ｒ相−Ｓ相間の電圧を出力する第１単相電路と、
前記分岐器に電気的に接続され、Ｒ相−Ｔ相間の電圧を出力する第２単相電路と、
前記分岐器に電気的に接続され、Ｓ相−Ｔ相間の電圧を出力する第３単相電路と、
前記分岐器に電気的に接続され、三相交流電圧を出力する三相出力電路と、
前記三相入力電路、前記分岐器、前記第１単相電路、前記第２単相電路、前記第３単相電路及び前記三相出力電路を保持する筐体であって、持ち運び可能なサイズの筐体と、
を備える分電装置。
【請求項２】
前記第１単相電路、前記第２単相電路、前記第３単相電路及び前記三相出力電路の少なくともいずれかの電路は、開閉器を有する、
請求項１に記載の分電装置。
【請求項３】
前記開閉器の開閉状態を検出する状態検出部と、
前記状態検出部による開閉状態の検出結果に応じて、発光部による発光を制御する制御部と、
をさらに備える、請求項２に記載の分電装置。
【請求項４】
前記第１単相電路、前記第２単相電路、前記第３単相電路及び前記三相出力電路の少なくともいずれかに流れる電流を検出する電流検出部と、
前記電流検出部による電流の検出結果に応じて、発光部による発光を制御する制御部と、
をさらに備える、請求項１から３のいずれか一項に記載の分電装置。
【請求項５】
前記筐体は、プラスチックで形成されている、
請求項１から４のいずれか一項に記載の分電装置。
【発明の詳細な説明】
【技術分野】
【０００１】
本発明は、分電装置に関する。
【背景技術】
【０００２】
従来、分電盤等の分電装置は、各種の施設に配置されており、各種の装置を駆動するため電力源として利用されている。例えば、特許文献１には、電源に電気的に接続される複数の第１端子と、負荷に電気的に接続される複数の第２端子と、複数の第１端子と複数の第２端子との間に電気的に接続された複数の接点部を備える分電盤が記載されている。
【先行技術文献】
【特許文献】
【０００３】
【特許文献１】特開２０２０−１０７６２０号公報
【発明の概要】
【発明が解決しようとする課題】
【０００４】
屋外において各種の装置に電力を供給する際には、使用者は、施設に配置された分電盤等の電力源を利用して、装置に電力を供給する場合がある。この場合には、使用者が例えばケーブルを施設の分電盤に接続し、そのケーブルを装置に接続することにより、電力を装置に供給する。
【０００５】
このとき、使用者は、状況に応じて、装置が配置されている現場から分電盤まで移動してケーブルを分電盤から抜き差しする必要があり、使用者に負担が生じていた。例えば、使用者は、電力の供給対象となる装置を追加する場合には、現場から分電盤まで移動して追加のケーブルの分電盤に接続する必要があった。
【０００６】
特許文献１に記載の分電盤は、建物に配置される分電盤であり、特許文献１に記載の技術では、使用者が必要に応じて現場から建物まで移動してケーブルを抜き差しする負担が生じる。
【０００７】
そこで、本発明は、三相交流の電力源を利用して、簡便に所望の電力を負荷に供給できる分電装置を提供することを目的とする。
【課題を解決するための手段】
【０００８】
本発明の一態様に係る分電装置は、Ｒ相、Ｓ相及びＴ相の三相交流電圧が入力される三相入力電路と、三相入力電路に電気的に接続され、三相入力電路から三相交流電圧が入力される分岐器と、分岐器に電気的に接続され、Ｒ相−Ｓ相間の電圧を出力する第１単相電路と、分岐器に電気的に接続され、Ｒ相−Ｔ相間の電圧を出力する第２単相電路と、分岐器に電気的に接続され、Ｓ相−Ｔ相間の電圧を出力する第３単相電路と、分岐器に電気的に接続され、三相交流電圧を出力する三相出力電路と、三相入力電路、分岐器、第１単相電路、第２単相電路、第３単相電路及び三相出力電路を保持する筐体と、を備える。
【０００９】
この態様によれば、三相交流の電圧が入力されたことに応じて、分電装置から三相交流の電力を負荷に供給したり、単相交流の電力を複数の負荷に供給したりできる。このため、簡便に所望の電力を負荷に供給することが可能となる。
【発明の効果】
【００１０】
本発明によれば、三相交流の電力源を利用して、簡便に所望の電力を負荷に供給できる分電装置を提供することができる。
【図面の簡単な説明】
【００１１】
【図１】本開示の一実施形態に係る分電装置を正面から見た外観図である。
【図２】同実施形態に係る分電装置を右側面から見た外観図である。
【図３】同実施形態に係る分電装置の構成を示す図である。
【図４】同実施形態に係る発光装置の機能ブロック図である。
【図５】変形例に係る発光装置の機能ブロック図である。
【発明を実施するための形態】
【００１２】
添付図面を参照して、本発明の好適な実施形態について説明する。なお、各図において、同一の符号を付したものは、同一又は同様の構成を有する。
【００１３】
［実施形態］
図１は、本開示の一実施形態に係る分電装置１を正面から見た外観図である。図１に示すように、本実施形態に係る分電装置１は、主として、筐体１０及び後述する発光装置を備える。筐体１０には、留め具１２ａ及び１２ｂにより、蓋１１が開閉可能に接続されている。筐体１０のサイズは、特に限定されないが、簡便に分電装置１を持ち運びできる程度のサイズであることが好ましい。例えば、筐体１０は、２０ｃｍ程度の高さ、４５ｃｍ程度の幅及び３５ｃｍ程度の奥行きを有してよい。
【００１４】
筐体１０は、例えば、プラスチックで形成されてよい。プラスチックで筐体１０が形成されることにより、例えば筐体が金属等で形成された場合に比べて、筐体１０が軽量になる。この結果、使用者は、例えば作業現場等において、容易に分電装置１を持ち運ぶことが可能となる。なお、使用者は、持ち運んだ分電装置１を適宜作業現場に置いてもよいし、あるいは、筐体１０に金具が設けられ、設けられた金具を利用して例えば壁等に分電装置１が取り付けられてもよい。
【００１５】
図２は、本実施形態に係る分電装置１を右側面から見た外観図である。筐体１０の右側面には、三相入力コネクタ１５、三相出力コネクタ１６、第１単相コネクタ１７、第２単相コネクタ１８及び第３単相コネクタ１９が設けられている。本実施形態では、三相入力コネクタ１５に三相交流電圧が入力されると、三相出力コネクタ１６から三相交流電圧が出力されたり、第１単相コネクタ１７、第２単相コネクタ１８及び第３単相コネクタ１９から単相交流の電圧が出力されたりする。なお、各種のコネクタについて、筐体１０から出ている部分の大きさが小さい方が、分電装置１の積み込み、持ち運び及び保管等がより簡便となるため好ましい。
【００１６】
図３は、本実施形態に係る分電装置１の構成を示す図である。本実施形態に係る分電装置１は、各種の機器及び電路を保持する筐体１０及び電路に流れる電流に応じて発光する発光装置９０を備える。
【００１７】
筐体１０は、主として、三相入力電路２０、分岐開閉器３０（分岐器）、接続器４０、三相出力電路５０、第１単相電路６０、第２単相電路７０及び第３単相電路８０を保持する。
【００１８】
三相入力電路２０は、Ｒ相の配線２１、Ｓ相の配線２２、Ｔ相の配線２３及びＮ相（接地相）の配線２４を備える。また、三相入力電路２０は、Ｒ相、Ｓ相及びＴ相の三相交流電圧が入力される。具体的には、これらの配線２１、２２、２３及び２４を内包する三相入力コネクタ１５に３相４線式のインレットが接続されると、配線２１にＲ相の電圧、配線２２にＳ相の電圧、配線２３にＴ相の電圧が入力される。ここで、三相入力電路２０に入力される電流の大きさは、特に限定されないが、例えば６０Ａ等であってもよい。また、三相交流電圧の大きさは、特に限定されないが、例えば２００Ｖ等であってよい。
【００１９】
分岐開閉器３０は、６つの端子３１、３２、３３、３４、３５及び３６と、スイッチ３７とを備える。端子３１及び端子３４の端子間と、端子３２及び端子３５の端子間と、端子３３及び端子３６とのそれぞれの端子間は、電気的に接続される。また、スイッチ３７の状態をＯＮ又はＯＦＦに切り替えることにより、これらの端子間を導通状態（ＯＮ）又は開放状態（ＯＦＦ）を切り替えることができる。スイッチ３７の状態は、手動で切り替えられてもよいし、分岐開閉器３０の端子間に所定量（例えば、６０Ａ等）以上の電流が流れた場合に、スイッチ３７の状態がＯＮからＯＦＦに切り替えられてもよい。なお、本明細書では、開閉器のスイッチの状態を、開閉器の開閉状態と称する場合がある。
【００２０】
分岐開閉器３０は、三相入力電路２０に電気的に接続され、三相入力電路２０から三相交流電圧が入力される。具体的には、Ｒ相の配線２１が端子３１に電気的に接続され、Ｓ相の配線２２が端子３２に電気的に接続され、Ｔ相の配線２３が端子３３に電気的に接続される。分岐開閉器３０には、配線２１、２２及び２３を通じて、三相交流電圧が入力される。
【００２１】
接続器４０は、各種の配線を電気的に接続し、端子４１及び４２を備える。ここで、端子４１及び４２は、互いに電気的に接続されている。端子４１には、Ｎ相の配線２４が電気的に接続されているため、配線２４は、端子４２に電気的に接続される配線と電気的に接続される。また、端子４２には、接地配線４３が接続されている。接地配線４３は、３本の配線に分岐しており、それぞれ分岐した配線の一部は、第１単相コネクタ１７、第２単相コネクタ１８及び第３単相コネクタ１９にそれぞれ内包される。
【００２２】
三相出力電路５０は、Ｒ相の配線５１、Ｓ相の配線５２、Ｔ相の配線５３及びＮ相の配線５４を備える。三相出力電路５０は、分岐開閉器３０に電気的に接続され、三相交流電圧を出力する。具体的には、三相出力電路５０が備える配線５１、５２、５３及び５４を内包する三相出力コネクタ１６に３相４線式のインレットが接続されると、インレットに接続された負荷に三相交流電圧が出力される。これにより、負荷に三相交流の電力が供給される。ここで、負荷は、例えば、工事等に用いられる各種の加工装置等であってよい。また、三相出力電路５０から出力される電流の大きさは、例えば６０Ａ等であってもよく、本実施形態に係る分電装置１によれば、比較的大型の装置を駆動可能な電力を供給できる。
【００２３】
第１単相電路６０は、分岐開閉器３０に電気的に接続され、Ｒ相−Ｓ相間の電圧を出力する。本実施形態では、第１単相電路６０は、第１開閉器６３と、第１分岐配線４５のうちの分岐開閉器３０と第１開閉器６３とを接続する配線と、第２分岐配線４６のうちの分岐開閉器３０と第１開閉器６３とを接続する配線と、第１開閉器６３に接続された配線６１及び６２と、を含む。
【００２４】
第１開閉器６３は、４つの端子６４、６５、６６及び６７と、スイッチ６８とを備える。端子６４及び端子６６の端子間と、端子６５及び端子６７の端子間とのそれぞれの端子間は、電気的に接続される。また、スイッチ６８の状態をＯＮ又はＯＦＦに切り替えることにより、これらの端子間を導通状態（ＯＮ）又は開放状態（ＯＦＦ）を切り替えることができる。スイッチ６８の状態は、手動で切り替えられてもよいし、第１開閉器６３の端子間に所定量（例えば、２０Ａ等）以上の電流が流れた場合に、スイッチ６８の状態がＯＮからＯＦＦに切り替えられてもよい。
【００２５】
なお、後述する第２開閉器７３及び第３開閉器８３は、第１開閉器６３と実質的に同一の機能及び構成を有してよい。具体的には、第２開閉器７３及び第３開閉器８３のそれぞれが有する各種の端子及びスイッチは、第１開閉器６３が有する各種の端子及びスイッチと同一の機能及び構成を有してよい。このため、以下では、第２開閉器７３及び第３開閉器８３の詳細な説明については省略する。
【００２６】
第１開閉器６３の端子６４には、分岐開閉器３０の端子３４に接続された、Ｒ相の第１分岐配線４５が接続される。また、第１開閉器６３の端子６５には、分岐開閉器３０の端子３４に接続された、Ｓ相の第１分岐配線４５が接続される。従って、第１開閉器６３の端子６４及び６５には、Ｒ相−Ｓ相間の電圧が入力される。
【００２７】
また、第１開閉器６３の端子６６及び６７のそれぞれには、配線６１及び６２が接続されている。配線６１及び６２は、第１単相コネクタ１７にそれぞれ内包される。分岐開閉器３０のスイッチ３７及び第１開閉器６３のスイッチ６８の状態がともにＯＮとなっているときにインレットが第１単相コネクタ１７に接続されると、インレットに接続された装置に、配線６１及び６２からＲ相−Ｓ相間の電圧が出力される。これにより、装置に単相交流の電力が供給される。
【００２８】
第２単相電路７０は、分岐開閉器３０に電気的に接続され、Ｒ相−Ｔ相間の電圧を出力する。本実施形態では、第２単相電路７０は、第２開閉器７３と、第１分岐配線４５のうちの分岐開閉器３０と第２開閉器７３とを接続する配線と、第３分岐配線４７のうちの分岐開閉器３０と第２開閉器７３とを接続する配線と、第２開閉器７３に接続された配線７１及び７２と、を含む。
【００２９】
第２開閉器７３の端子７４には、分岐開閉器３０の端子３４に接続された、Ｒ相の第１分岐配線４５が接続される。また、第２開閉器７３の端子７５には、分岐開閉器３０の端子３６に接続された、Ｔ相の第３分岐配線４７が接続される。従って、第２開閉器７３の端子７４及び７５には、Ｒ相−Ｔ相間の電圧が入力される。
【００３０】
また、第２開閉器７３の端子７６及び７７のそれぞれには、配線７１及び７２が接続されている。配線７１及び７２は、第２単相コネクタ１８にそれぞれ内包される。分岐開閉器３０のスイッチ３７及び第２開閉器７３のスイッチ７８の状態がともにＯＮとなっているときにインレットが第２単相コネクタ１８に接続されると、インレットに接続された装置に、配線７１及び７２からＲ相−Ｔ相間の電圧が出力される。これにより、装置に単相交流の電力が供給される。
【００３１】
第３単相電路８０は、分岐開閉器３０に電気的に接続され、Ｓ相−Ｔ相間の電圧を出力する。本実施形態では、第３単相電路８０は、第３開閉器８３と、第２分岐配線４６のうちの分岐開閉器３０と第３開閉器８３とを接続する配線と、第３分岐配線４７のうちの分岐開閉器３０と第３開閉器８３とを接続する配線と、第３開閉器８３に接続された配線８１及び８２と、を含む。
【００３２】
第３開閉器８３の端子８４には、分岐開閉器３０の端子３５に接続された、Ｓ相の第２分岐配線４６が接続される。また、第３開閉器８３の端子８５には、分岐開閉器３０の端子３６に接続された、Ｔ相の第３分岐配線４７が接続される。従って、第３開閉器８３の端子８４及び８５には、Ｓ相−Ｔ相間の電圧が入力される。
【００３３】
また、第３開閉器８３の端子８６及び８７のそれぞれには、配線８１及び８２が接続されている。配線８１及び８２は、第３単相コネクタ１９にそれぞれ内包される。分岐開閉器３０のスイッチ３７及び第３開閉器８３のスイッチ８８の状態がともにＯＮとなっているときにインレットが第３単相コネクタ１９に接続されると、インレットに接続された装置に、配線８１及び８２からＳ相−Ｔ相間の電圧が出力される。これにより、装置に単相交流の電力が供給される。
【００３４】
また、第１単相電路６０、第２単相電路７０、第３単相電路８０及び三相出力電路５０に流れる電流は、発光装置９０により検出されてよい。具体的には、配線６１、６２、配線７１、７２、配線８１、８２及び配線５２、５３、５４に流れる電流が、発光装置９０により検出されてよい。また、発光装置９０は、検出した電流に応じて発光してよい。
【００３５】
図４は、本実施形態に係る発光装置９０の機能ブロック図である。図４に示すように、本実施形態に係る発光装置９０は、電流検出部９１、制御部９２及び発光部９３を備える。
【００３６】
電流検出部９１は、各種の公知の電流を検出する装置を備えてよい。電流検出部９１は、第１単相電路６０、第２単相電路７０、第３単相電路８０及び三相出力電路５０の少なくともいずれかに流れる電流を、電流信号として検出できる。電流検出部９１は、電流の検出結果を制御部９２に伝送できる。検出結果は、検出された電流が流れる電路及び検出された電流の大きさ等の情報を含んでよい。
【００３７】
発光部９３は、制御部９２による制御に応じて発光できる。発光部９３は、各種の公知の光源を備え、光源は例えばＬＥＤ（Light Emitting Diode）等であってよい。また、発光部９３は、複数の光源を備えてよく、それぞれの光源は、例えば、分電装置１が備える電路（例えば、第１単相電路６０、第２単相電路７０、第３単相電路８０及び三相出力電路５０等）に対応してよい。光源が配置される場所は特に限定されないが、光源は、例えば、対応するコネクタ等の付近に配置されてよい。例えば、第１単相電路６０に対応する光源は、筐体１０の外側の第１単相コネクタ１７の付近等に配置されてよい。
【００３８】
制御部９２は、ＣＰＵ（Central Processing Unit）、ＲＯＭ（Read Only Memory）及びＲＡＭ（Random Access Memory）等を備える。制御部９２が備えるＲＯＭには、各種の処理を実行するための処理プログラム等が記憶される。また、ＣＰＵは、ＲＯＭに記憶された処理プログラム等を実行し、各種の処理を実行する。なお、制御部９２が備えるＲＡＭには、各種プログラムの実行中に一時的に利用されるデータが記憶される。
【００３９】
制御部９２は、発光部９３の動作を制御できる。具体的には、電流検出部９１による電流の検出結果に応じて、発光部９３による発光を制御する。例えば、制御部９２は、特定の電路において電流が流れていることが検出された場合には、その電路に対応する光源に発光させてよい。例えば、第１単相電路６０に電流が流れたことが検出された場合には、制御部９２は、第１単相電路６０に対応する光源（例えば、第１単相コネクタ１７の付近に配置された光源）等を発光させてよい。これにより、使用者は、どのコネクタから電流が流れているのかを簡便に確認することができる。
【００４０】
以上、本実施形態に係る分電装置１について説明した。本実施形態に係る分電装置１によれば、三相交流の電力源を利用して、簡便に所望の電力を負荷に供給できる。例えば、三相交流の電力源が、施設に配置されている分電装置であるとする。また、その電力源から電力が供給される装置が、施設から遠い位置に配置されているとする。使用者は、施設に配置された電力源と本実施形態に係る分電装置１とをケーブル等を用いて接続することにより、分電装置１を用いて単相交流の電力を複数の装置に使用したり、あるいは、三相交流の電力を使用したりできる。本実施形態に係る分電装置１は、簡便に持ち運び可能であるため、容易に装置の付近に配置しておくことが可能である。このため、電力源が現場から離れていても、簡便に分電装置１を使用できる。
【００４１】
［補足］
上記実施形態では、第１単相電路６０、第２単相電路７０及び第３単相電路８０のそれぞれが開閉器を備える例について説明した。これに限らず、第１単相電路６０、第２単相電路７０及び第３単相電路８０のいずれも開閉器を有していなくてもよいし、これらの電路のうちの１つまたは２つの電路が開閉器を有してもよい。
【００４２】
また、上記実施形態では、三相出力電路５０が開閉器を備えない例を説明したが、三相出力電路５０は開閉器を備えてよい。この場合には、三相出力電路５０が備える開閉器は、例えば、上述した分岐開閉器３０と実質的に同一の機能及び構成を有してよい。この場合には、三相出力電路５０の開閉器のスイッチが制御されることで、配線５１、５２及び５３の状態（導通状態及び開放状態）が制御される。これにより、三相交流電圧の出力が必要ない場合には、開閉器の状態をＯＦＦにすることにより、三相交流の電力が外部に供給されないようにすることができる。
【００４３】
また、上記実施形態では、分岐器が開閉器としての機能を有する分岐開閉器３０である例を説明した。これに限らず、分岐器が開閉器としての機能を有していなくてもよい。すなわち、配線２１と配線５１及び第３分岐配線４７が常に電気的に接続され、配線２２及び配線５２及び第２分岐配線４６が常に電気的に接続され、配線２３及び配線５３及び第１分岐配線４５が常に電気的に接続されてもよい。
【００４４】
また、上述実施形態で説明した筐体１０、各種のコネクタ及びインレットは、防水機能を有してもよい。これにより、分電装置１が配置される現場において水が利用される場合であっても、支障なく分電装置１を利用することが可能となる。
【００４５】
［変形例］
変形例では、分電装置１が備える開閉器の開閉状態に応じた発光を発光装置が行う例を説明する。なお、変形例では、発光装置を除く分電装置の構成は、図１から図３を使用して説明した構成と実質的に同一であってよい。
【００４６】
図５は、変形例に係る発光装置９５の機能ブロック図である。図５に示すように、変形例に係る発光装置９５は、状態検出部９６、制御部９７及び発光部９８を備える。変形例に係る制御部９７及び発光部９８は、上記実施形態に係る制御部９２及び発光部９３が備える構成をそれぞれ有してよい。
【００４７】
状態検出部９６は、分電装置が備える開閉器の開閉状態を検出できる。具体的には、状態検出部９６は、上述の分岐開閉器３０、第１開閉器６３、第２開閉器７３及び第３開閉器８３の開閉状態を検出できる。例えば、状態検出部９６は、それぞれの開閉器から開閉状態を示す信号（状態信号）を取得してもよい。状態検出部９６は、検出した開閉状態の検出結果を制御部９７に伝送できる。開閉状態の検出結果は、検出された開閉器の開閉状態及び開閉器を特定する情報等を含んでよい。
【００４８】
状態検出部９６は、ＣＰＵ（Central Processing Unit）、ＲＯＭ（Read Only Memory）及びＲＡＭ（Random Access Memory）等を備える。状態検出部９６が備えるＲＯＭには、各種の処理を実行するための処理プログラム等が記憶される。また、ＣＰＵは、ＲＯＭに記憶された処理プログラム等を実行し、各種の処理を実行する。なお、状態検出部９６が備えるＲＡＭには、各種プログラムの実行中に一時的に利用されるデータが記憶される。
【００４９】
変形例に係る制御部９７は、状態検出部９６による開閉状態の検出結果に応じて、発光部９８による発光を制御する。例えば、制御部９７は、特定の開閉器のスイッチがＯＮであること（すなわち、導通状態）が検出された場合には、その開閉器に対応する光源を発光させてよい。例えば、第１単相電路６０が備える第１開閉器６３のスイッチがＯＮであることが検出された場合には、制御部９７は、第１単相電路６０に対応する光源（例えば、第１単相コネクタ１７の付近に配置された光源）等を発光させてよい。これにより、使用者は、どのコネクタから電力を供給可能であるのかを簡便に確認することができる。
【００５０】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５１】
１…分電装置、１０…筐体、２０…三相入力電路、３０…分岐開閉器（分岐器）、５０…三相出力電路、６０…第１単相電路、６３…第１開閉器、７０…第２単相電路、７３…第２開閉器、８０…第３単相電路、８３…第３開閉器、９０，９５…発光装置、９１…電流検出部、９２，９７…制御部、９３，９８…発光部、９６…状態検出部
【要約】
【課題】三相交流の電力源を利用して、簡便に所望の電力を負荷に供給できる分電装置を提供する。
【解決手段】Ｒ相、Ｓ相及びＴ相の三相交流電圧が入力される三相入力電路２０と、三相入力電路２０に電気的に接続され、三相入力電路２０から三相交流電圧が入力される分岐器３０と、分岐器３０に電気的に接続され、Ｒ相−Ｓ相間の電圧を出力する第１単相電路６０と、分岐器３０に電気的に接続され、Ｒ相−Ｔ相間の電圧を出力する第２単相電路７０と、分岐器３０に電気的に接続され、Ｓ相−Ｔ相間の電圧を出力する第３単相電路８０と、分岐器３０に電気的に接続され、三相交流電圧を出力する三相出力電路５０と、三相入力電路２０、分岐器３０、第１単相電路６０、第２単相電路７０、第３単相電路８０及び三相出力電路５０を保持する筐体１０と、を備える分電装置１。
【選択図】図３【図１】
0006915922.tif 000002
【図２】
0006915922.tif 000003
【図３】
0006915922.tif 000004
【図４】
0006915922.tif 000005
【図５】
0006915922.tif 000006